(57)【特許請求の範囲】
【請求項１】
電子部品収納凹部及び嵌合接続凹部を有するケースと、前記電子部品収納凹部に収納されるとともに一対のリードが前記嵌合接続凹部にのびる電子部品と、前記嵌合接続凹部に収納され一方の前記リードに接触する中継端子と、前記嵌合接続凹部に収納され他方の前記リードに接触するとともにアース部を有してなる金属製のアース端子と、電線側端子及びカバー部材を有しこれらを電線の中間に取り付けてなるとともに前記電線側端子が前記中継端子に接触し且つ前記カバー部材が前記嵌合接続凹部に嵌合するカバー組付電線とを含む電子部品内蔵ユニットにおいて、
前記電線側端子は、
前記電線の中間の導体を加締める一対の導体加締め片と被覆部を加締める一対の被覆加締め部と有し前記電線の導体に直接接続される電線接続部と、
前記電線接続部の前側に連続し、基部と、該基部の一方の側部に連成する接続タブと、前記基部の他方の側部に連成する係止部とが折り曲げ加工によりコ字状の形状に形成してなり、前記係止部に連成して内側に折り曲げ加工により所定の幅を有し、前記基部に対して平行になるようにリブ当接部を形成してなる電気接触部と
を備えてなり、
前記嵌合接続凹部の底壁には、上方向に突出し、前記中継端子の長手方向に沿ってのび、該中継端子に対して位置規制するとともに、前記嵌合接続凹部に前記カバー組付電線を嵌合させる際に、前記電線側端子のリブ当接部が当接する位置決めリブを形成されてなり、
前記電線側端子を前記カバー部材の前記嵌合接続凹部への組み付け側より挿入収容し、前記カバー部材に対して完全に挿入されてない時に前記位置決めリブの先端が前記リブ当接部に当接するような突出量とする
ことを特徴とする電子部品内蔵ユニット。
【請求項２】
請求項１に記載の電子部品内蔵ユニットにおいて、
前記電線側端子を、底と、該底より立設して前記中継端子に接触する端子接触部と、前記底より立設して前記カバー部材に係止される係止部とを備えて構成するとともに、前記リブ当接部を、前記端子接触部又は前記係止部の先端を折り曲げることにより形成し、さらに、前記電線側端子の前記カバー部材に対する挿入を、前記底側より行うものとする
ことを特徴とする電子部品内蔵ユニット。
【請求項３】
請求項１又は請求項２に記載の電子部品内蔵ユニットにおいて、
前記カバー部材の内部に、第一の位置決めリブを形成するとともに、該第一の位置決めリブ及び前記カバー部材の一方の側壁間に壁差込溝を形成し、前記電線側端子には、前記壁差込溝に差し込まれる位置決め壁と、前記第一の位置決めリブが差し込まれるリブ逃がし溝とを形成する
ことを特徴とする電子部品内蔵ユニット。
【請求項４】
請求項３に記載の電子部品内蔵ユニットにおいて、
前記カバー部材の他方の側壁の側となる位置で且つ前記第一の位置決めリブが対向する位置に、前記電線側端子に対する第二の位置決めリブを形成する
ことを特徴とする電子部品内蔵ユニット。
【発明の詳細な説明】
【技術分野】
【０００１】
本発明は、ケース内に電子部品を内蔵して電線の中間に取り付く電子部品内蔵ユニットに関する。
【背景技術】
【０００２】
例えば、自動車等に装備される各種センサ等では、ホーンやワイパモータのような高周波成分を持った雑音源からの伝導ノイズや、ネオンサイン等からの外来ノイズや、誘導ノイズ等が電線を伝わって入力されることがあり、これによって誤作動を引き起こしてしまうという恐れを有している。上記のノイズを除去するためとしては、電子部品内蔵ユニット（ノイズ防止具）の開発が進められている。
【０００３】
図９において、引用符号１は電線を示している。また、引用符号２は電線１の中間３に接続される電子部品内蔵ユニットを示している。電子部品内蔵ユニット２は、電子部品収納凹部及び嵌合接続凹部を有するケース４と、ヒンジ５を介してケース４に連成され、電子部品収納凹部を覆う収納凹部カバー６と、この収納凹部カバー６に形成され、取付相手先に係止される樹脂係止部７と、電子部品収納凹部に収納されるとともに、一対のリード８ａ、８ｂが嵌合接続凹部にのびる電子部品９と、嵌合接続凹部に収納され、一方のリード８ａに接触する中継端子１０と、嵌合接続凹部に収納され、他方のリード８ｂに接触するとともに、嵌合接続凹部から突出する部分がアース部１１として形成される金属製のアース端子１２と、電線側端子１３及びカバー部材１４を有して電線１の中間に取り付くとともに、電線側端子１３が中継端子１０に接触し、且つカバー部材１４が嵌合接続凹部に嵌合するカバー組付電線１５とを含んで構成されている。
【０００４】
電子部品内蔵ユニット２は、樹脂係止部７とアース部１１との間に、嵌合接続凹部とこれに嵌合するカバー部材１４とが位置するように形成されている。カバー部材１４と嵌合接続凹部は、引用符号１６のカバー側嵌合部と、引用符号１７の突起係止部とで嵌合するように形成されている。
【０００５】
電子部品内蔵ユニット２は、車両への取り付けの際に、先ず樹脂係止部７を取付相手先の金属製の座面に挿入して仮固定をし、次にアース端子１２のアース部１１をネジで締め付けて接続することにより全体の取り付け固定が完了するようになっている。
【０００６】
尚、電子部品内蔵ユニット２に関する技術としては、例えば下記特許文献１の開示技術が参考になる。
【特許文献１】特開２００６−１０９５８７号公報
【発明の開示】
【発明が解決しようとする課題】
【０００７】
ところで、上記電子部品内蔵ユニット２にあっては、カバー組付電線１５に関して次のような問題点を有している。すなわち、カバー組付電線１５は、電線側端子１３の底（下側）を作業者が指で押しながら、この電線側端子１３をカバー部材１４の内部に挿入して嵌合させる組み付けによりなることから、図示の如く、電線側端子１３の上側に向く複数のタブ状の部分がカバー部材１４の下側開口縁部に引っ掛かり易く、仮に引っ掛かりが生じると挿入作業のやり直しをしなければならないという問題点を有している。つまり、作業性に影響を来してしまうような構造を有している。
【０００８】
また、カバー組付電線１５は、電線側端子１３をカバー部材１４に挿入した後、これらが完全に係止し合ったかどうかが構造的に分かり難く（電線側端子１３の底によって隠れてしまう）、これが問題点になっている。
【０００９】
この他、カバー組付電線１５は、カバー部材１４の内部で電線側端子１３のガタ付きが仮に大きく生じると、中継端子１０に対しての接続状態が良好に維持できなくなるという問題点を有している。また、カバー組付電線１５をケース４の嵌合接続凹部に嵌合させる際に、大きくガタ付いた電線側端子１３が中継端子１０に突き当たると、これによって作業性に影響を来してしまうという問題点も有している。
【００１０】
上記接続状態に関しては、ケース４の嵌合接続凹部に取り付けられた中継端子１０にガタ付きが生じるような場合でも良好に維持できなくなることから、この点も上記同様の問題点になる。
【００１１】
本発明は、上述した事情に鑑みてなされたもので、作業性の向上と接続状態の良好な維持とを図ることが可能な電子部品内蔵ユニットを提供することを課題とする。
【課題を解決するための手段】
【００１２】
上記課題を解決するためになされた請求項１記載の本発明の電子部品内蔵ユニットは、電子部品収納凹部及び嵌合接続凹部を有するケースと、前記電子部品収納凹部に収納されるとともに一対のリードが前記嵌合接続凹部にのびる電子部品と、前記嵌合接続凹部に収納され一方の前記リードに接触する中継端子と、前記嵌合接続凹部に収納され他方の前記リードに接触するとともにアース部を有してなる金属製のアース端子と、電線側端子及びカバー部材を有しこれらを電線の中間に取り付けてなるとともに前記電線側端子が前記中継端子に接触し且つ前記カバー部材が前記嵌合接続凹部に嵌合するカバー組付電線とを含む電子部品内蔵ユニットにおいて、
前記電線側端子は、
前記電線の中間の導体を加締める一対の導体加締め片と被覆部を加締める一対の被覆加締め部と有し前記電線の導体に直接接続される電線接続部と、
前記電線接続部の前側に連続し、基部と、該基部の一方の側部に連成する接続タブと、前記基部の他方の側部に連成する係止部とが折り曲げ加工によりコ字状の形状に形成してなり、前記係止部に連成して内側に折り曲げ加工により所定の幅を有し、前記基部に対して平行になるようにリブ当接部を形成してなる電気接触部と
を備えてなり、
前記嵌合接続凹部の底壁には、上方向に突出し、前記中継端子の長手方向に沿ってのび、該中継端子に対して位置規制するとともに、前記嵌合接続凹部に前記カバー組付電線を嵌合させる際に、前記電線側端子のリブ当接部が当接する位置決めリブを形成されてなり、
前記電線側端子を前記カバー部材の前記嵌合接続凹部への組み付け側より挿入収容し、前記カバー部材に対して完全に挿入されてない時に前記位置決めリブの先端が前記リブ当接部に当接するような突出量とすることを特徴としている。
【００１３】
このような特徴を有する本発明によれば、嵌合接続凹部に位置決めリブを形成することにより、中継端子のガタ付きを防止することが可能になる。また、電線側端子がカバー部材に対して半係止状態である場合には、電線側端子が位置決めリブによりカバー部材の内部に押し込まれて係止状態に至ることから、電線側端子の半係止を防止することも可能になる。
【００１４】
請求項２記載の本発明の電子部品内蔵ユニットは、請求項１に記載の電子部品内蔵ユニットにおいて、前記電線側端子を、底と、該底より立設して前記中継端子に接触する端子接触部と、前記底より立設して前記カバー部材に係止される係止部とを備えて構成するとともに、前記リブ当接部を、前記端子接触部又は前記係止部の先端を折り曲げることにより形成し、さらに、前記電線側端子の前記カバー部材に対する挿入を、前記底側より行うものとすることを特徴としている。
【００１５】
このような特徴を有する本発明によれば、電線側端子をカバー部材に挿入する際、リブ当接部が作業者の指で押す部分となって、これにより電線側端子の挿入作業が容易になる。電線側端子のリブ当接部は、電線側端子のカバー部材に対する半係止を防止する他に、電線側端子をカバー部材に挿入する際の作業性向上に寄与する。本発明によれば、カバー部材に対する挿入時の電線側端子の向きを変えることで、電線側端子をカバー部材に挿入した時、これらの係止状態を目視にて判断することが可能になる。
【００１６】
請求項３記載の本発明の電子部品内蔵ユニットは、請求項１又は請求項２に記載の電子部品内蔵ユニットにおいて、前記カバー部材の内部に、第一の位置決めリブを形成するとともに、該第一の位置決めリブ及び前記カバー部材の一方の側壁間に壁差込溝を形成し、前記電線側端子には、前記壁差込溝に差し込まれる位置決め壁と、前記第一の位置決めリブが差し込まれるリブ逃がし溝とを形成することを特徴としている。
【００１７】
このような特徴を有する本発明によれば、カバー部材の内部での電線側端子のガタ付きが防止される。
【００１８】
請求項４記載の本発明の電子部品内蔵ユニットは、請求項３に記載の電子部品内蔵ユニットにおいて、前記カバー部材の他方の側壁の側となる位置で且つ前記第一の位置決めリブが対向する位置に、前記電線側端子に対する第二の位置決めリブを形成することを特徴としている。
【００１９】
このような特徴を有する本発明によれば、カバー部材の内部での電線側端子のガタ付きがより一層確実に防止される。
【発明の効果】
【００２０】
請求項１に記載された本発明によれば、嵌合接続凹部での中継端子のガタ付きを防止することができるという効果を奏する。これにより電線側端子と中継端子との接続状態を良好に維持することができるという効果を奏する。また、本発明によれば、電線側端子のカバー部材に対する半係止を防止することができるという効果を奏する。
【００２１】
請求項２に記載された本発明によれば、電線側端子をカバー部材に挿入する際の作業性と、カバー組付電線の組み付けに係る作業性とを向上させることができるという効果を奏する。
【００２２】
請求項３に記載された本発明によれば、カバー部材の内部での電線側端子のガタ付きを防止することができるという効果を奏する。これにより電線側端子と中継端子との接続状態を良好に維持することができるという効果を奏する。
【００２３】
請求項４に記載された本発明によれば、カバー部材の内部での電線側端子のガタ付きをより一層確実に防止することができるという効果を奏する。
【発明を実施するための最良の形態】
【００２４】
以下、図面を参照しながら説明する。図１は本発明の電子部品内蔵ユニットの一実施の形態を示す斜視図である。また、図２は電子部品内蔵ユニットの構成を示す分解斜視図、図３はカバー組付電線の分解斜視図、図４は電線側端子をカバー部材に挿入する直前の状態を示す斜視図、図５は電線側端子をカバー部材に挿入した状態を示す平面図、図６は電線側端子をカバー部材に挿入した状態を示す斜視図、図７はユニット本体の斜視図、図８は電線側端子が位置決めリブに当接している状態を示す断面図である。
【００２５】
図１及び図２において、引用符号２１は既知の電線を示している。また、引用符号２２は電線２１の中間２３に接続される電子部品内蔵ユニットを示している。電子部品内蔵ユニット２２は、予め電線２１の中間２３に取り付けてなるカバー組付電線２４と、このカバー組付電線２４の嵌合により電気的な接続がなされるユニット本体２５とを備えて構成されている。
【００２６】
カバー組付電線２４は、電線２１の他に電線側端子２６とカバー部材２７とを有している。また、このカバー組付電線２４が嵌合するユニット本体２５は、ケース２８と、電子部品２９と、中継端子３０と、アース端子３１と、クランプ３２とを備えて構成されている。以下、図１ないし図８を参照しながら上記の各構成について説明する（構成の説明の後に組み付けについて説明する）。
【００２７】
本形態の説明において、特に限定するものではないが、電線２１は自動車等の車両に配索されるようになっている（車両以外にも適用可能であるものとする）。また、電子部品内蔵ユニット２２は、車両ボディの所定の座面に対して係止・固定されるようになっている。
【００２８】
図１及び図２において、電線２１は、ワイヤハーネスを構成する複数の電線のうちの一本、又は単独の電線であって、導体と、この導体を被覆する絶縁性の被覆部とを備えて構成されている。このような電線２１の中間２３には、電線側端子２６が電気的に接続されている。
【００２９】
図２ないし図６において、電線側端子２６は、導電性を有する金属からなり、上記導体に直接接続される電線接続部３３と、この電線接続部３３の前側に連続する電気接触部３４とを有している。引用符号３５は電線側端子２６の底部分（底）を示している。電線接続部３３は、電線２１の中間２３を皮剥ぎして露出させた上記導体を加締める一対の導体加締め片３６と、上記被覆部を加締める一対の被覆加締め部３７とを有している。
【００３０】
電気接触部３４は、基部３８と、この基部３８の一方の側部に連成される接続タブ３９（端子接触部）と、基部３８の他方の側部に連成される係止部４０と、この係止部４０に連成されるリブ当接部４１とを有している。電気接触部３４は、折り曲げ加工によって形成されている。基部３８と接続タブ３９と係止部４０は、折り曲げ加工によりコ字状の形状に形成されている。接続タブ３９と係止部４０との間には、電線２１が貫通するようになっている。
【００３１】
リブ当接部４１は、折り曲げ加工により係止部４０に連成されている。リブ当接部４１は、基部３８に対して平行になるように形成されている。リブ当接部４１は、この部分を作業者が指で押しても指が痛くならないような幅を有するように形成されている。尚、上記端子接触部（本形態では接続タブ３９に相当）の機能にもよるが、端子接触部の先端にリブ当接部４１を連成しても良いものとする。
【００３２】
基部３８には、カバー部材２７に対する位置決め用の貫通孔４２が形成されている。貫通孔４２は、基部３８の中央に形成されている。基部３８の前側には、リブ逃がし溝４３が形成されている。このリブ逃がし溝４３は、係止部４０の連続部分近傍に切り欠き形成されている。リブ逃がし溝４３は、ガタ付き防止用の部分として形成されている。
【００３３】
係止部４０には、係止用の係止穴４４が貫通形成されている。係止穴４４は、係止部４０が基部３８に連続する位置に合わせて形成されている。係止穴４４は、電線側端子２６がカバー部材２７から抜け落ちないようにするための部分として形成されている。このような係止部４０の前側には、位置決め壁４５が形成されている。この位置決め壁４５は、係止穴４４よりも前に形成されており、また、基部３８のリブ逃がし溝４３に連続するようにも形成されている。
【００３４】
接続タブ３９は、タブ状であって、ユニット本体２５の中継端子３０に差し込まれて電気的な接続を行う部分として形成されている。
【００３５】
電線側端子２６は、電線２１の中間２３との接続をした状態で、この底部分３５側からカバー部材２７の内部に挿入されるようになっている。そして、カバー部材２７に対して係止されると脱落が生じないようになっている。電線側端子２６は、リブ当接部４１を作業者が指で押すことで容易にカバー部材２７の内部に挿入することができるようになっている。
【００３６】
図２ないし図６において、カバー部材２７は、絶縁性を有する合成樹脂製の部材であって、電線側端子２６を係止するとともに、ユニット本体２５のケース２８に対して嵌合するような形状に形成されている。カバー部材２７は、天井壁４６と、この天井壁４６に連続する側壁とを有している。側壁に関しては、この側壁の内側が電線収納部４７となるように形成されている。また、側壁に関しこの外側は（側壁自体は）、ケース２８に差し込まれる際にガイドとして機能するケース挿入ガイド部４８となるように形成されている。
【００３７】
この他、側壁には、可撓性を有するアーム状の係止突起４９が形成されている。また、側壁には、略突起状のカバー側嵌合部５０が複数形成されている。係止突起４９は、カバー部材２７の内部に挿入された電線側端子２６を係止する部分として形成されている。カバー側嵌合部５０は、ケース２８に嵌合するように形成されている。さらに、側壁には、電線２１を圧入状態で支持する一対のＵ字状の電線支持部５１が形成されている（電線２１の支持は圧入状態が好ましいが、カバー部材２７を取り付けた時に、電線２１の水平状態を保つことができるのであれば、これ以外の構造であっても良いものとする。電線２１の曲がりや斜め挿入等の防止に寄与することが好ましい）。
【００３８】
カバー部材２７の内部には、第一の位置決めリブ５２と、壁差込溝５３と、第二の位置決めリブ５４とが形成されている。第一の位置決めリブ５２と壁差込溝５３は、係止突起４９が存在する側の側壁内面に連成されている（係止突起４９が存在する側の側壁を一方の側壁と定義する）。
【００３９】
第一の位置決めリブ５２と壁差込溝５３は、係止突起４９の近傍に形成されている。第一の位置決めリブ５２は、天井壁４６の内面からカバー部材２７の開口部分まで真っ直ぐにのびるように形成されている。壁差込溝５３は、第一の位置決めリブ５２と一方の側壁との間に形成されている。第一の位置決めリブ５２は、壁差込溝５３を形成するために、平面視Ｌ字状の形状に形成されている（カバー部材２７の開口部分を平面視した場合、Ｌ字状に見える）。
【００４０】
第一の位置決めリブ５２と壁差込溝５３は、電線側端子２６のガタ付きを防止する部分として形成されている。第一の位置決めリブ５２は、カバー部材２７の内部に電線側端子２６が挿入されると、電線側端子２６のリブ逃がし溝４３に差し込まれるようになっている。また、壁差込溝５３には、電線側端子２６の位置決め壁４５が差し込まれるようになっている。仮に、ガタ付きとなる力が加わった場合、噛合いが生じるようになる。
【００４１】
第二の位置決めリブ５４は、上記一方の側壁の反対側となる他方の側壁内面に連成されている。他方の側壁には、電線側端子２６の接続タブ３９に対応する膨出部５５が形成されている。第二の位置決めリブ５４は、膨出部５５の近傍に形成されている。また、第一の位置決めリブ５２の対向位置に形成されている。第二の位置決めリブ５４は、天井壁４６の内面からカバー部材２７の開口部分まで真っ直ぐにのびるように形成されている。
【００４２】
第二の位置決めリブ５４は、電線側端子２６のガタ付きを防止する部分として形成されている。第二の位置決めリブ５４は、カバー部材２７の内部に電線側端子２６が挿入されると、電線側端子２６の前端が当接可能となるように形成されている。
【００４３】
図１及び図２において、ユニット本体２５のケース２８は、絶縁性を有する合成樹脂製の部材であって、電子部品収納凹部５６と、この電子部品収納凹部５６の隣となる嵌合接続凹部５７とを有している。電子部品収納凹部５６及び嵌合接続凹部５７は、底壁５８と、この底壁５８の縁部に形成される側壁５９と、隔壁６０とにより囲まれて形成されている。電子部品収納凹部５６は、電子部品２９を収納するための凹状の部分として形成されている。嵌合接続凹部５７は、カバー組付電線２４が嵌合し、電気的な接続が行われる凹状の部分として形成されている。電子部品収納凹部５６及び嵌合接続凹部５７は、隔壁６０によって隔てられている。
【００４４】
側壁５９には、係止突起６１や突起係止部６２が形成されている。また、側壁５９には、一対の電線支持部６３が形成されている。突起係止部６２は、カバー組付電線２４を嵌合させるための部分として形成されている。一対の電線支持部６３は、嵌合接続凹部５７の部分にＵ字状に切り欠かれて形成されている。一対の電線支持部６３は、カバー組付電線２４の嵌合の際に電線２１が差し込まれてこれを支持することができるように形成されている。尚、図２の突起係止部６２は、図１と構造が異なっているが、いずれの構造を採用しても良いものとする。
【００４５】
隔壁６０には、突起係止部６４と、リード支持部６５、６６と、膨出部６７とが形成されている。突起係止部６４は、カバー組付電線２４を嵌合させるための部分として形成されている。リード支持部６５、６６は、電子部品収納凹部５６に収納される電子部品２９の、嵌合接続凹部５７にまでのびるリード６８、６９を支持するために形成されている。リード支持部６５、６６は、スリット状に形成されている。
【００４６】
図７において、嵌合接続凹部５７の底（底壁５８）には、中継端子３０の位置決めと固定とをするための固定部分７０が形成されている。固定部分７０は、ピン状に形成されている。また、嵌合接続凹部５７の底には、中継端子３０の長手方向に沿ってのびる位置決めリブ７１が形成されている。この位置決めリブ７１は、中継端子３０の位置決めと、電線側端子２６の半係止防止とをする部分として形成されている。位置決めリブ７１は、単なる突条でなく、上記のような二つの機能を有する部分として形成されている。
【００４７】
ここで、位置決めリブ７１の作用に関して説明する。嵌合接続凹部５７にカバー組付電線２４を嵌合させる際に、仮に電線側端子２６が半係止状態であったとすると、位置決めリブ７１には、電線側端子２６のリブ当接部４１が当接する。リブ当接部４１は、カバー組付電線２４の嵌合が完了する前に位置決め兼半係止防止リブ７１に当接する。そして、カバー組付電線２４の嵌合を続けると、電線側端子２６が位置決めリブ７１によりカバー部材２７の内部に押し込まれて係止状態に至る（係止状態は図８参照）。従って、半係止状態のままでの嵌合は防止され、不具合の発生が抑えられる。
【００４８】
図２において、中継端子３０は、導電性を有する金属からなり、バスバー状の固定基板部７２と、この固定基板部７２の一側部に連成されて電線側端子２６の接続タブ３９が差し込まれるタブ接続部７３とを有している。固定基板部７２は、嵌合接続凹部５７の底（底壁５８）に載置固定されるように形成されている。
【００４９】
固定基板部７２には、嵌合接続凹部５７の底に引っ掛かって中継端子３０の脱落を防止する固定爪７４が複数形成されている。また、固定基板部７２には、電子部品２９のリード６９に接触して組み付け時に溶接される凸形状の溶接部７５が形成されている。引用符号７６は嵌合接続凹部５７の固定部分７０に差し込んで位置決めをするための貫通孔を示している。
【００５０】
タブ接続部７３は、箱状に形成されている。タブ接続部７３の内部には、電線側端子２６の接続タブ３９に弾性的に接触する弾性接触片（図示省略）が形成されている。
【００５１】
中継端子３０は、固定部分７０に差し込まれて位置決め固定され、また、位置決めリブ７１によっても位置決めされ、さらに、自身の固定爪７４が嵌合接続凹部５７の底に引っ掛かることから、ガタ付きなく嵌合接続凹部５７に取り付けられるようになっている。
【００５２】
図１、図２、及び図７において、アース端子３１は、導電性を有する金属からなり、ネジ止め用の貫通孔７７を有するアース部７８と、このアース部７８に連続するととももに、電子部品収納凹部５６の開口部を覆うようなカバーとしての形状に形成される基部７９と、基部７９に連続する接続脚部８０とを有している。
【００５３】
基部７９は、上記の如くカバーの機能を有しており、ケース２８の係止突起６１に引っ掛かるような嵌合部８１、８２が形成されている。また、基部７９には、車両ボディの上記座面に差し込まれて係止されるクランプ３２を取り付けるためのクランプ着脱部８３が形成されている。基部７９は、電子部品収納凹部５６に収納された後の電子部品２９を押さえつけることができるような形状に形成されている。
【００５４】
嵌合部８１、８２は、略枠状であって、それぞれ基部７９の側部から垂れ下がるように形成されている。嵌合部８１、８２は、ケース２８の係止突起６１を乗り越えるために必要十分な可撓性を有している。クランプ着脱部８３は、基部７９を切り欠くようなスリット状に形成されている。クランプ着脱部８３は、クランプ３２を差し込んだ後、このクランプ３２をスライドさせて固定することができるように形成されている。クランプ着脱部８３は、クランプ３２を差し込む部分が嵌合部８２に連成されている。
【００５５】
接続脚部８０は、嵌合接続凹部５７に差し込まれる部分であって、帯片をＬ字状に折り曲げるようにして形成されている。接続脚部８０のＬ字状に折り曲がる部分には、電子部品２９のリード６８を逃がすようなスリット８４が形成されている。また、嵌合接続凹部５７の底に対応する部分には、リード６８に接触して溶接がなされる凸形状の溶接部８５が形成されている。
【００５６】
図１、図２、及び図７において、クランプ３２は、合成樹脂製の部材であって、アース端子３１に対して着脱自在となる構造であるとともに、車両ボディの上記座面に差し込まれてこの部分に係止される構造になっている。クランプ３２は、係止部としての機能を有している。クランプ３２は、アース端子３１の基部７９に平行な基板８６と、この基板８６の表面に設けられる支柱８７と、可撓性を有し支柱８７に連成される一対の係止羽根８８とを有している。クランプ３２は、車両ボディの上記座面に形成されたクランプ穴に一対の係止羽根８８を差し込んでこの係止羽根８８の各端部を上記クランプ穴の開口縁に引っ掛けることができるようになっている。
【００５７】
図２において、電子部品２９は、本体８９と、一対のリード６８、６９とを有している。電子部品２９は、本形態においてはノイズフィルタのために既知のコンデンサが用いられているが、この他の用途に応じてダイオードや抵抗を用いてもよいものとする。
【００５８】
次に、上記構成に基づいて、カバー組付電線２４の組み付け、ユニット本体２５の組み付け、電子部品内蔵ユニット２２の組み付け、及び電子部品内蔵ユニット２２の取り付けについて説明する。
【００５９】
カバー組付電線２４に関しては、先ず、所望の位置となる電線２１の中間２３において、電線２１の被覆部を所定の範囲で除去し導体を露出させ、この露出させた導体に電線側端子２６を接続する作業を行う。次に、底部分３５側から電線側端子２６をカバー部材２７の内部に挿入して電線側端子２６を係止させる作業を行う。電線側端子２６をカバー部材２７に対して係止させると、カバー組付電線２４に関しての組み付けが完了する。
【００６０】
電線側端子２６の挿入は、リブ当接部４１を作業者が指で押しながら行うことから、容易に挿入と係止の作業を行うことができる。尚、電線側端子２６とカバー部材２７の係止状態は、カバー部材２７の上記開口部分から目視することができるようになっている。
【００６１】
カバー組付電線２４の組み付けが完了すると、電線側端子２６は、カバー部材２７の内部でガタ付きなく固定される。すなわち、カバー部材２７の内部に電線側端子２６が挿入されると、電線側端子２６のリブ逃がし溝４３がカバー部材２７の第一の位置決めリブ５２に差し込まれ、また、電線側端子２６の位置決め壁４５がカバー部材２７の壁差込溝５３に差し込まれ、さらに、電線側端子２６の前端がカバー部材２７の第二の位置決めリブ５４に当接可能な状態になり、これによって電線側端子２６は、カバー部材２７の内部でガタ付きなく固定される（ローリング方向のガタ付きやツイスト方向のガタ付きが特に良好に防止される）。電線側端子２６の位置決めに関しては、電線側端子２６の貫通孔４２とカバー部材２７の位置決め突起９０（図５参照）も有効に機能する。
【００６２】
電線側端子２６は、カバー部材２７の電線収納部４７に収納されるとともに、カバー部材２７により保護される。電線２１は、カバー部材２７の電線支持部５１に支持される。カバー組付電線２４は、電線２１の水平状態を保った形状でこの組み付けが完了する。
【００６３】
ユニット本体２５に関しては、先ず、ケース２８の電子部品収納凹部５６に電子部品２９の本体８９を収納するとともに、電子部品２９のリード６８、６９の中間をリード支持部６５、６６に差し込みつつ、リード６８、６９の各先端側を嵌合接続凹部５７の底に載置して位置決めする作業を行う。次に、嵌合接続凹部５７の所定位置に中継端子３０とアース端子３１の接続脚部８０とをそれぞれ取り付ける。この時、アース端子３１の基部７９は電子部品２９の本体８９を収納した電子部品収納凹部５６を覆いつつケース２８に嵌合する。続いて、中継端子３０及び接続脚部８０にそれぞれ溶接を施し、凸形状の各溶接部８５、７５とリード６８、６９とを固定する作業を行う。これにより、ユニット本体２５に関しての組み付け作業が完了する。
【００６４】
カバー組付電線２４の組み付け及びユニット本体２５の組み付けの完了後、カバー組付電線２４をユニット本体２５の嵌合接続凹部５７に嵌合させるとともに、これと同時に電気的な接続状態を形成する作業を行う。これにより、電子部品内蔵ユニット２２の組み付け作業が完了する。
【００６５】
電子部品内蔵ユニット２２の取り付けに関しては、先ず、車両ボディの上記座面に形成されたクランプ穴にクランプ３２を差し込んで電子部品内蔵ユニット２２を仮固定する作業を行う。次に、上記座面に形成されたネジ穴にアース端子３１のネジ止め用の貫通孔７７を位置合わせし、そして、ネジで締め付けてアース端子３１のアース部７８を座面に固定する作業を行う。尚、この時、ネジ締め付け時に生じる回転トルクは、アース端子３１に直接固定されたクランプ３２によって受け止められる。アース端子３１のアース部７８の固定が完了すると電子部品内蔵ユニット２２の取り付け作業が完了する。
【００６６】
以上、図１ないし図８を参照しながら説明してきたように、本発明によれば、カバー部材２７に対する挿入時の電線側端子２６の向きを従来の逆方向とすることから、電線側端子２６をカバー部材２７に挿入した時、これらの係止状態を目視にて確認することができる。また、本発明によれば、嵌合接続凹部５７に位置決めリブ７１を形成することから、中継端子３０のガタ付きを防止することができるとともに、電線側端子２６がカバー部材２７に対して半係止状態である場合には、位置決めリブ７１によって電線側端子２６をカバー部材２７の内部に押し込み係止状態に至らせることができる。従って、電線側端子２６の半係止を防止することができる。さらに、本発明によれば、第一の位置決めリブ５２、壁差込溝５３、リブ逃がし溝４３、及び位置決め壁４５や、第二の位置決めリブ５４を有することから、カバー部材２７の内部での電線側端子２６のガタ付きを防止することができる。これにより、電線側端子２６と中継端子３０との接続状態を良好に維持することができる。
【００６７】
本発明は本発明の主旨を変えない範囲で種々変更実施可能なことは勿論である。
【図面の簡単な説明】
【００６８】
【図１】本発明の電子部品内蔵ユニットの一実施の形態を示す斜視図である。
【図２】電子部品内蔵ユニットの構成を示す分解斜視図である。
【図３】カバー組付電線の分解斜視図である。
【図４】電線側端子をカバー部材に挿入する直前の状態を示す斜視図である。
【図５】電線側端子をカバー部材に挿入した状態を示す平面図である。
【図６】電線側端子をカバー部材に挿入した状態を示す斜視図である。
【図７】ユニット本体の斜視図である。
【図８】電線側端子が位置決めリブに当接している状態を示す断面図である。
【図９】従来例の電子部品内蔵ユニットの分解斜視図である。
【符号の説明】
【００６９】
２１  電線
２２  電子部品内蔵ユニット
２３  中間
２４  カバー組付電線
２５  ユニット本体
２６  電線側端子
２７  カバー部材
２８  ケース
２９  電子部品
３０  中継端子
３１  アース端子
３２  クランプ
３５  底部分（底）
３８  基部
３９  接続タブ（端子接触部）
４０  係止部
４１  リブ当接部
４３  リブ逃がし溝
４４  係止穴
４５  位置決め壁
４９  係止突起
５０  カバー側嵌合部
５２  第一の位置決めリブ
５３  壁差込溝
５４  第二の位置決めリブ
５５  膨出部
５６  電子部品収納凹部
５７  嵌合接続凹部
６５、６６  リード支持部
６７  膨出部
６８、６９  リード
７１  位置決めリブ
７８  アース部
７９  基部
８０  接続脚部
【図１】
0005080155.tif 000002
【図２】
0005080155.tif 000003
【図３】
0005080155.tif 000004
【図４】
0005080155.tif 000005
【図５】
0005080155.tif 000006
【図６】
0005080155.tif 000007
【図７】
0005080155.tif 000008
【図８】
0005080155.tif 000009
【図９】
0005080155.tif 000010